(57)【要約】  アンドロイドプラットフォーム基盤の受信機で実行される連動型アプリケーションの提供方法において、（ａ）デジタル放送の現在のチャンネル情報および前記デジタル放送の現在の番組情報のうち少なくとも一つを含む識別情報を取得する段階と、（ｂ）属性情報を各々含む多数のアンドロイドアプリケーションのうち、前記識別情報および前記属性情報を基に前記デジタル放送と連動して提供する連動型アンドロイドアプリケーションを取得して実行する段階と、（ｃ）イベントを受信した後、前記イベントを基に前記連動型アンドロイドアプリケーションの状態を変更する段階と、を有する連動型アプリケーションの提供方法が提供される。  本発明によれば、属性、或いは予め指定された連動条件を基にそのライフサイクルがデジタル放送と連動して管理され、ユーザに個人化された連動型アンドロイドアプリケーションを提供することができる。【選択図】図２
2015525025.tif 000002
【特許請求の範囲】
【請求項１】
アンドロイドプラットフォーム基盤の受信機で実行される連動型アプリケーションの提供方法において、
（ａ）デジタル放送の現在のチャンネル情報および前記デジタル放送の現在の番組情報のうち少なくとも一つを含む識別情報を取得する段階と、
（ｂ）属性情報を各々含む多数のアンドロイドアプリケーションのうち、前記識別情報および前記属性情報を基に前記デジタル放送と連動して提供する連動型アンドロイドアプリケーションを取得して実行する段階と、
（ｃ）イベントを受信した後、前記イベントを基に前記連動型アンドロイドアプリケーションの状態を変更する段階と、
を有する連動型アプリケーションの提供方法。
【請求項２】
前記アンドロイドプラットフォーム基盤の受信機は、放送網或いは通信網を通して前記デジタル放送をリアルタイム、或いは準リアルタイムで受信する請求項１に記載の連動型アプリケーションの提供方法。
【請求項３】
前記段階（ｂ）は、前記多数のアンドロイドアプリケーションのうち、前記識別情報に符合する属性情報を含むアンドロイドアプリケーションを前記連動型アンドロイドアプリケーションに指定する段階を有する請求項１に記載の連動型アプリケーションの提供方法。
【請求項４】
前記段階（ｂ）は、
前記多数のアンドロイドアプリケーションのうち、前記識別情報に符合する属性情報を含む一つ以上のアンドロイドアプリケーションの情報を抽出して表示する段階と、
ユーザ入力を基に前記一つ以上のアンドロイドアプリケーションから選択されたアンドロイドアプリケーションを前記連動型アンドロイドアプリケーションに指定する段階と、
を有する請求項１に記載の連動型アプリケーションの提供方法。
【請求項５】
前記属性情報はチャンネル識別情報を含むチャンネル連動情報、番組識別情報を含む番組連動情報および連動条件情報のうち少なくとも一つを有する請求項１に記載の連動型アプリケーションの提供方法。
【請求項６】
前記連動条件情報は、前記連動型アンドロイドアプリケーションが予め指定された周期ごとに実行される条件、放送網或いは通信網を通して伝送される実行指示を受信することで実行される条件、および、ユーザにより基本実行と指定された条件のうち少なくとも一つを含み、
前記段階（ｂ）は、前記連動条件情報が満足された場合、前記多数のアンドロイドアプリケーションのうち、前記連動条件情報に符合する属性情報を含むアンドロイドアプリケーションを前記連動型アンドロイドアプリケーションに指定する段階を有する請求項５に記載の連動型アプリケーションの提供方法。
【請求項７】
前記段階（ｂ）は、前記連動型アンドロイドアプリケーションを自動実行する段階を有する請求項６に記載の連動型アプリケーションの提供方法。
【請求項８】
前記段階（ｂ）は、前記多数のアンドロイドアプリケーションを提供するサーバとの通信リンクを通して前記連動型アンドロイドアプリケーションを受信する段階を有する請求項１に記載の連動型アプリケーションの提供方法。
【請求項９】
（ｄ）前記多数のアンドロイドアプリケーションのうち少なくとも一部を前記アンドロイドプラットフォーム基盤の受信機内に保存する段階をさらに含む請求項１に記載の連動型アプリケーションの提供方法。
【請求項１０】
前記段階（ｂ）は、前記アンドロイドプラットフォーム基盤の受信機内に保存されたアンドロイドアプリケーションのうち前記連動型アンドロイドアプリケーションを指定する段階を有する請求項９に記載の連動型アプリケーションの提供方法。
【請求項１１】
前記イベントは前記デジタル放送のチャンネル変更コマンド、前記デジタル放送の番組変更コマンド、および、前記多数のアンドロイドアプリケーションのうち、前記連動型アンドロイドアプリケーションではない別のアンドロイドアプリケーションを実行するよう命じるコマンドのうち少なくとも一つであり、
前記段階（ｃ）は、前記イベントに応じて前記連動型アンドロイドアプリケーションの実行状態を引き続き実行、中止（ｐａｕｓｅ）、中断（ｔｅｒｍｉｎａｔｅ）およびバックグラウンド実行（ｒｕｎ ｉｎ ｂａｃｋｇｒｏｕｎｄ）のうち少なくとも一つに変更する段階を有する請求項１に記載の連動型アプリケーションの提供方法。
【請求項１２】
（ｅ）前記デジタル放送のチャンネル別、或いは番組別に前記多数のアンドロイドアプリケーションとの対応関係を表すリストを維持する段階をさらに有する請求項１に記載の連動型アプリケーションの提供方法。
【請求項１３】
前記段階（ｂ）は、
前記リストおよび前記識別情報を用いて、前記多数のアンドロイドアプリケーションのうち、前記連動型アンドロイドアプリケーションを選択するためのユーザインタフェースを表示する段階と、
前記多数のアンドロイドアプリケーションのうち、前記ユーザインタフェースを介したユーザ入力により選択されたアンドロイドアプリケーションを前記連動型アンドロイドアプリケーションに指定する段階と、
をさらに有する請求項１２に記載の連動型アプリケーションの提供方法。
【発明の詳細な説明】
【技術分野】
【０００１】
本発明は、アンドロイドプラットフォーム基盤の受信機で実行される連動型アプリケーションの提供方法に関し、特に属性、或いは予め指定された連動条件を基にユーザに個人化され、そのライフサイクルがデジタル放送と連動して管理される連動型アンドロイドアプリケーションを提供できるアンドロイドプラットフォーム基盤の受信機で実行される連動型アプリケーションの提供方法に関する。
【背景技術】
【０００２】
デジタル放送受信機は、従来のアナログ放送受信機とは異なり、デジタル放送を提供すると同時に、デジタル放送から番組（即ち動画）と共に伝送されるアプリケーションを受信して提供することができる。
【０００３】
以下、本願明細書において「デジタル放送」は、地上波デジタル放送、デジタルケーブル放送、デジタル衛星放送、ＯＴＴ（Ｏｖｅｒ−ｔｈｅ−Ｔｏｐ）サービス、ＩＰＴＶ（Ｉｎｔｅｒｎｅｔ Ｐｒｏｔｏｃｏｌ Ｔｅｌｅｖｉｓｉｏｎ）サービス、リアルタイム或いは準リアルタイムＶＯＤ提供サービス、ＤＭＢ（Ｄｉｇｉｔａｌ Ｍｕｌｔｉｍｅｄｉａ Ｂｒｏａｄｃａｓｔｉｎｇ）のうち少なくとも一つを指す。また、「デジタル放送受信機」は、放送網或いは通信網を通してデジタル放送信号である番組信号（即ち動画信号）を受信して信号処理し、動画を提供する装置を指す。
【０００４】
デジタル放送受信機は、デジタル放送信号を受信して処理する受信部と、動画形態で処理されたデジタル放送信号を表示するディスプレイ部とを有する。デジタル放送受信機は、例えばセットトップボックス形態の受信部と、画面形態のディスプレイ部とを別々に備えることもできる。また、デジタル放送受信機は、受信部とディスプレイを一体型に統合した形態も含む。
【０００５】
従来のデジタル放送受信機は、放送網或いは通信網を通して番組信号と共に伝送されるアプリケーションを受信して実行することができる。以下、「インバンド（ｉｎ−ｂａｎｄ）アプリケーション」は、放送網或いは通信網を通して番組信号とともに伝送されるアプリケーションを指す。インバンドアプリケーションは、一般的にオブジェクトカルーセル（Ｏｂｊｅｃｔ Ｃａｒｏｕｓｅｌ）形態で、放送網或いは通信網を通して繰り返し伝送される。オブジェクトカルーセル形態で繰り返し伝送されるにあたって、インバンドアプリケーションはその大きさおよび個数が制限される。例えば地上波デジタル放送の場合、チャンネルに対して指定された、限られた伝送帯域幅内で番組信号およびオブジェクトカルーセル形態のインバンドアプリケーションが伝送される。従って、インバンドアプリケーションの大きさおよび個数が制限される。従って、従来のデジタル放送受信機は、チャンネルあたりおよそ１個、また番組あたりおよそ１個のインバンドアプリケーションを提供することができる。従って、全てのユーザに同じインバンドアプリケーションが提供されるため、ユーザ個人の好みによって個人化されたアプリケーションを提供するのは困難である。
【０００６】
一方、アンドロイドプラットフォームは、米グーグル社が開発したプラットフォームであり、ジャバ（Ｊａｖａ）言語で開発された様々なアプリケーションを駆動できるソフトウェアプラットフォームである。アンドロイドプラットフォームは、スマートフォン運用の目的で開発されたものの、様々なアプリケーションが存在する。アンドロイドプラットフォームは近年、ＴＶ、セットトップボックス、ナビゲーション装置、コンテンツ再生装置など、様々な装置に使われている。即ち、アンドロイドプラットフォームを用いて開発された様々なアプリケーションが、ＴＶ、セットトップボックスなどで実行可能なため、アンドロイドプラットフォームを用いてデジタル放送受信機を製造する試みが成されている。
【０００７】
しかし、アンドロイドプラットフォームは、基本的にスマートフォン運用の目的で開発されたため、特にデジタル放送で番組と連動してアプリケーションを提供するのは不可能という短所がある。特に連動型アプリケーションの提供のためには、デジタル放送と連動してアンドロイドアプリケーションのライフサイクルが動的に管理される必要がある。しかし、既存のアンドロイドプラットフォームはこのようなライフサイクルを管理できないという短所がある。
【先行技術文献】
【特許文献】
【０００８】
【特許文献１】韓国登録特許第１０-１１０４８６０号
【特許文献２】韓国登録特許第１０-１０１５５７３号
【発明の概要】
【発明が解決しようとする課題】
【０００９】
本発明の目的は、属性、或いは予め指定された連動条件を基にユーザに個人化され、そのライフサイクルがデジタル放送と連動して管理される連動型アンドロイドアプリケーションを提供できるアンドロイドプラットフォーム基盤の受信機で実行される連動型アプリケーションの提供方法を提供することにある。
【課題を解決するための手段】
【００１０】
前記課題を達成するため、本発明は、アンドロイドプラットフォーム基盤の受信機で実行される連動型アプリケーションの提供方法において、（ａ）デジタル放送の現在のチャンネル情報および前記デジタル放送の現在の番組情報のうち少なくとも一つを含む識別情報を取得する段階と、（ｂ）属性情報を各々含む多数のアンドロイドアプリケーションのうち、前記識別情報および前記属性情報を基に前記デジタル放送と連動して提供する連動型アンドロイドアプリケーションを取得して実行する段階と、（ｃ）イベントを受信した後、前記イベントを基に前記連動型アンドロイドアプリケーションの状態を変更する段階と、を有する連動型アプリケーションの提供方法を提供する。
【００１１】
本発明に係る連動型アプリケーションの提供方法において、前記アンドロイドプラットフォーム基盤の受信機は、放送網或いは通信網を通して前記デジタル放送をリアルタイム、或いは準リアルタイムで受信することができる。
【００１２】
また、本発明に係る連動型アプリケーションの提供方法において、前記段階（ｂ）は、前記多数のアンドロイドアプリケーションのうち、前記識別情報に符合する属性情報を含むアンドロイドアプリケーションを前記連動型アンドロイドアプリケーションに指定する段階を有することができる。
【００１３】
また、本発明に係る連動型アプリケーションの提供方法において、前記段階（ｂ）は、前記多数のアンドロイドアプリケーションのうち、前記識別情報に符合する属性情報を含む一つ以上のアンドロイドアプリケーションの情報を抽出して表示する段階と、ユーザ入力を基に前記一つ以上のアンドロイドアプリケーションの中から選択されたアンドロイドアプリケーションを前記連動型アンドロイドアプリケーションに指定する段階を有することができる。
【００１４】
また、本発明に係る連動型アプリケーションの提供方法において、前記属性情報は、チャンネル識別情報を含むチャンネル連動情報、番組識別情報を含む番組連動情報および連動条件情報のうち少なくとも一つを含むことができる。
【００１５】
また、本発明に係る連動型アプリケーションの提供方法において、前記連動条件情報は、前記連動型アンドロイドアプリケーションが予め指定された周期ごとに実行される条件、放送網或いは通信網を通して伝送される実行指示を受信することで実行される条件、および、ユーザによって基本実行と指定された条件のうち少なくとも一つを含み、前記段階（ｂ）は、前記連動条件情報が満足された場合、前記多数のアンドロイドアプリケーションのうち、前記連動条件情報に符合する属性情報を含むアンドロイドアプリケーションを前記連動型アンドロイドアプリケーションに指定する段階を有することができる。
【００１６】
また、本発明に係る連動型アプリケーションの提供方法において、前記段階（ｂ）は、前記連動型アンドロイドアプリケーションを自動実行する段階を有することができる。
【００１７】
また、本発明に係る連動型アプリケーションの提供方法において、前記段階（ｂ）は、前記多数のアンドロイドアプリケーションを提供するサーバとの通信リンクを通して前記連動型アンドロイドアプリケーションを受信する段階を有することができる。
【００１８】
また、本発明に係る連動型アプリケーションの提供方法において、（ｄ）前記多数のアンドロイドアプリケーションのうち少なくとも一部を前記アンドロイドプラットフォーム基盤の受信機内に保存する段階をさらに有することができる。
【００１９】
また、本発明に係る連動型アプリケーションの提供方法において、前記段階（ｂ）は、前記アンドロイドプラットフォーム基盤の受信機内に保存されたアンドロイドアプリケーションのうち、前記連動型アンドロイドアプリケーションを指定する段階を有することができる。
【００２０】
また、本発明に係る連動型アプリケーションの提供方法において、前記イベントは、前記デジタル放送のチャンネル変更コマンド、前記デジタル放送の番組変更コマンド、および、前記多数のアンドロイドアプリケーションのうち前記連動型アンドロイドアプリケーションではない別のアンドロイドアプリケーションを実行することを命じるコマンドのうち少なくとも一つであり、前記段階（ｃ）は、前記イベントに応じて前記連動型アンドロイドアプリケーションの実行状態を引き続き実行、中止（ｐａｕｓｅ）、中断（ｔｅｒｍｉｎａｔｅ）およびバックグラウンドの実行（ｒｕｎ ｉｎ ｂａｃｋｇｒｏｕｎｄ）のうち少なくとも一つに変更する段階を有することができる。
【００２１】
また、本発明に係る連動型アプリケーションの提供方法において、（ｅ）前記デジタル放送のチャンネル別、或いは番組別に、前記多数のアンドロイドアプリケーションとの対応関係を示すリストを維持する段階をさらに有することができる。
【００２２】
また、本発明に係る連動型アプリケーションの提供方法において、前記段階（ｂ）は、前記リストおよび前記識別情報を用いて前記多数のアンドロイドアプリケーションのうち、前記連動型アンドロイドアプリケーションを選択するためのユーザインタフェースを表示する段階と、前記多数のアンドロイドアプリケーションのうち、前記ユーザインタフェースを介したユーザ入力によって選択されたアンドロイドアプリケーションを前記連動型アンドロイドアプリケーションに指定する段階をさらに有することができる。
【発明の効果】
【００２３】
本発明によれば、属性、或いは予め指定された連動条件を基にユーザに個人化され、そのライフサイクルがデジタル放送と連動して管理される連動型アンドロイドアプリケーションを提供することができる。
【００２４】
また、アプリケーション開発者、或いは放送事業者が別々にデジタル放送用アプリケーションを開発して提供する負担を最小限に抑えつつ、デジタル放送に連動したアンドロイドアプリケーションを視聴者に提供することができる。
【００２５】
また、予め指定された連動条件を満足する場合、視聴者には自ら指定した連動型アンドロイドアプリケーションが提供されるため、個人化された連動型アンドロイドアプリケーションを提供することができる。
【００２６】
また、予め指定された連動条件を満足する場合、プラットフォーム事業者が指定する連動型アンドロイドアプリケーションが視聴者に提供されるため、プラットフォーム事業者は、情報提供、或いは広告効果を高めることができる。
【図面の簡単な説明】
【００２７】
【図１】本発明に係るアンドロイドプラットフォーム基盤の受信機で実行される連動型アプリケーションの提供方法が実行されるシステム環境を示す図面である。
【図２】本発明に係るアンドロイドプラットフォーム基盤の受信機で実行される連動型アプリケーションの提供方法の例示的なフローチャートである。
【図３】本発明に係るアンドロイドプラットフォーム基盤の受信機で実行される連動型アプリケーションの提供方法において、段階Ｓ２００の具体例を示すフローチャートである。
【図４】本発明に係るアンドロイドプラットフォーム基盤の受信機で実行される連動型アプリケーションの提供方法において、段階Ｓ２００の具体例を示すフローチャートである。
【図５】本発明に係るアンドロイドプラットフォーム基盤の受信機で実行される連動型アプリケーションの提供方法において、段階Ｓ２００の具体例を示すフローチャートである。
【図６】本発明に係るアンドロイドプラットフォーム基盤の受信機で実行される連動型アプリケーションの提供方法において、段階Ｓ２００の具体例を示すフローチャートである。
【図７】本発明に係るアンドロイドプラットフォーム基盤の受信機で実行される連動型アプリケーションの提供方法において、段階Ｓ２００の具体例を示すフローチャートである。
【図８】本発明に係るアンドロイドプラットフォーム基盤の受信機で実行される連動型アプリケーションの提供方法において、段階Ｓ２００の具体例を示すフローチャートである。
【図９】本発明に係るアンドロイドプラットフォーム基盤の受信機で実行される連動型アプリケーションの提供方法において、段階Ｓ３００の具体例を示すフローチャートである。
【図１０】本発明に係るアンドロイドプラットフォーム基盤の受信機で実行される連動型アプリケーションの提供方法において、デジタル放送のチャンネルおよび番組別に多数のアンドロイドアプリケーションとの対応関係を示すリストの具体例を示す図面である。
【図１１】本発明に係るアンドロイドプラットフォーム基盤の受信機で実行される連動型アプリケーションの提供方法において、多数のアンドロイドアプリケーションのうち、連動型アンドロイドアプリケーションを選択するためのユーザインタフェースの例を示す図面である。
【発明を実施するための形態】
【００２８】
以下、本発明のアンドロイドプラットフォーム基盤の受信機で実行される連動型アプリケーションの提供方法の実施例を添付した図面を参照し、具体的に説明する。
【００２９】
図１は、本発明に係るアンドロイドプラットフォーム基盤の受信機で実行される連動型アプリケーションの提供方法が実行されるシステム環境を示す図面である。
【００３０】
図１を参照すれば、本発明に係るアンドロイドプラットフォーム基盤の受信機で実行される連動型アプリケーションの提供方法が実施されるシステム環境は、アンドロイドプラットフォーム基盤の受信機１００と、放送システム２００と、アンドロイドアプリケーション提供サーバ３００とを有する。また、前記システム環境は、バックエンド（ｂａｃｋ−ｅｎｄ）装置４００をさらに有することができる。
【００３１】
アンドロイドプラットフォーム基盤の受信機１００は、アンドロイドプラットフォームを基に作動するデジタル放送受信機であり、放送システム２００から放送網或いは通信網を通してデジタル放送信号を受信し、信号処理して動画を提供する。また、アンドロイドプラットフォーム基盤の受信機１００は、アンドロイドアプリケーション提供サーバ３００からアンドロイドアプリケーションを受信して実行、またはアンドロイドプラットフォーム基盤の受信機１００内に保存されたアンドロイドアプリケーションを実行する機能をさらに有する。
【００３２】
本願明細書においてアンドロイドアプリケーションは、アンドロイドプラットフォームを基に製作されたアプリケーションであり、特にアンドロイドプラットフォーム基盤の受信機１００内でデジタル放送を提供しながら同時に連動して提供され、望ましくはデジタル放送とは独立したネットワーク、または帯域を通して受信される。
【００３３】
本願発明においてアンドロイドアプリケーションは、特に別途の属性の定義などを通してデジタル放送と連動するよう構成されることが望ましい。即ち、既存の一般的なアンドロイドアプリケーションと異なり、本願発明においてアンドロイドアプリケーションは、連動して実行するデジタル放送のチャンネル、番組、或いはその他の連動条件に関する情報をさらに含むことが望ましい。
【００３４】
例えばアンドロイドアプリケーションは、デジタル放送の特定チャンネルや特定番組に連動して提供される。例えばアンドロイドプラットフォーム基盤の受信機１００は、デジタル放送を提供しながら画面の一部にアンドロイドアプリケーションを提供、またはデジタル放送を提供する画面に重複してアンドロイドアプリケーションを提供することができる。また、本願発明においてデジタル放送の特定チャンネルや特定番組と連動して提供されるアンドロイドアプリケーションは、ユーザがデジタル放送を視聴しながら同時に提供を受けられるように、少なくとも実行初期、或いは実行中に画面の一部だけを占めるように構成される。従って、実行初期から画面全体を占める従来のアンドロイドアプリケーションとは異なる。
【００３５】
従来のインバンドアプリケーションは、放送システム２００から放送網或いは通信網を通してデジタル放送信号と共に伝送される。例えば地上波デジタル放送の場合、従来デジタル放送受信機は地上波を通してデジタル放送信号およびインバンドアプリケーションを受信する。従って、デジタル放送受信機が提供可能なインバンドアプリケーションの大きさおよび個数が制限される。
【００３６】
ところが、アンドロイドプラットフォーム基盤の受信機１００は、例えば放送システム２００から地上波放送網を通してデジタル放送信号を受信し、地上波放送網とは別の通信網を通してアンドロイドアプリケーション提供サーバ３００からアンドロイドアプリケーションを受信している。従って、アンドロイドアプリケーションはデジタル放送信号と独立して提供されるため、その大きさおよび個数の制限がインバンドアプリケーションの制限に比べて緩和される。
【００３７】
放送システム２００は、デジタル放送信号を送出する。例えばデジタル地上波事業者、デジタルケーブルテレビ事業者、またはＩＰＴＶ事業者が放送システム２００を運営する。または、放送システム２００がセットトップボックスを管理する事業者、即ち本願発明でプラットフォーム事業者とも呼ばれる主体によって運営されることも考えられる。
【００３８】
アンドロイドアプリケーション提供サーバ３００は、多数のアンドロイドアプリケーションを保存し、アンドロイドプラットフォーム基盤の受信機１００と通信チャンネルを通して連結され、アンドロイドプラットフォーム基盤の受信機１００からの要請により多数のアンドロイドアプリケーションから選択されるアンドロイドアプリケーションを、アンドロイドプラットフォーム基盤の受信機１００に伝送する。アンドロイドアプリケーション提供サーバ３００は、望ましくはデジタル放送事業者、或いはアンドロイドプラットフォーム基盤の受信機１００を運営する主体（即ち、上述したプラットフォーム事業者）によって運営されることが望ましいが、その他の主体によって運営されることも考えられる。
【００３９】
バックエンド装置４００は、アンドロイドアプリケーションの実行に向けてさらに必要な情報を提供する。例えばバックエンド装置４００は、拡張ＥＰＧデータ、ＣＣ（ｃｌｏｓｅｄ ｃａｐｔｉｏｎ）データ、またはデジタル放送の番組に関するメタデータを保存して、受信機１００に提供する。既存のデジタル放送の場合、ＥＰＧデータ、ＣＣデータ、或いはメタデータはデジタル放送信号と共に伝送されるが、本発明の場合、別途具備されるバックエンド装置４００がこのようなデータを提供することができる。
【００４０】
図１を参照すれば、アンドロイドアプリケーションは、放送システム２００ではなくアンドロイドアプリケーション提供サーバ３００を通してアンドロイドプラットフォーム基盤の受信機１００に伝送される。従って、本発明のシステム環境は、放送システム２００だけがインバンドアプリケーションを提供できる既存のデジタル放送環境とは異なる。また、本発明のシステム環境では、アンドロイドプラットフォーム基盤の受信機１００は一つ以上のアンドロイドアプリケーションを提供することができる。
【００４１】
以下、図１を参照し、本発明に係るアンドロイドプラットフォーム基盤の受信機で実行される連動型アプリケーションの提供方法をより具体的に説明する。
【００４２】
図２は、本発明に係るアンドロイドプラットフォーム基盤の受信機で実行される連動型アプリケーションの提供方法の例示的なフローチャートである。
【００４３】
先ず、アンドロイドプラットフォーム基盤の受信機１００は、デジタル放送の現在のチャンネル情報およびデジタル放送の現在の番組情報のうち少なくとも一つを含む識別情報を取得する（Ｓ１００）。
【００４４】
上述した通り、アンドロイドプラットフォーム基盤の受信機１００は、アンドロイドプラットフォームを基に作動するデジタル放送受信機であり、放送網或いは通信網を通してデジタル放送をリアルタイム、或いは準リアルタイムで受信して提供する。即ち、地上波デジタル放送、デジタルケーブルテレビ、デジタル衛星放送、ＯＴＴ（Ｏｖｅｒ−ｔｈｅ−Ｔｏｐ）サービス、ＩＰＴＶサービス、リアルタイム或いは準リアルタイムＶＯＤ提供サービス、ＤＭＢのうち少なくとも一つのデジタル放送を受信して提供する。
【００４５】
アンドロイドプラットフォーム基盤の受信機１００は、例えばデジタル放送信号のうち、チャンネル情報、番組情報のうち少なくとも一つを抽出した後、これをデジタル放送の現在のチャンネル情報および現在の番組情報として取得することができる。
【００４６】
次に、アンドロイドプラットフォーム基盤の受信機１００は、属性情報を各々含む多数のアンドロイドアプリケーションのうち、段階Ｓ１００で取得した識別情報および多数のアンドロイドアプリケーション各々の属性情報を基にデジタル放送と連動して提供する連動型アンドロイドアプリケーションを取得して実行する（Ｓ２００）。
【００４７】
図３〜図８は、本発明に係るアンドロイドプラットフォーム基盤の受信機で実行される連動型アプリケーションの提供方法において、段階Ｓ２００の具体例を示すフローチャートである。
【００４８】
上述した通り、多数のアンドロイドアプリケーションは各々属性情報を含んでいる。
【００４９】
属性情報は、例えばチャンネル識別情報を含むチャンネル連動情報、番組識別情報を含む番組連動情報および連動条件情報のうち少なくとも一つである。
【００５０】
チャンネル連動情報は、デジタル放送の特定チャンネルと特定アンドロイドアプリケーションを連動することを示す。
【００５１】
番組連動情報は、デジタル放送の特定番組と特定アンドロイドアプリケーションを連動することを示す。
【００５２】
連動条件情報は、デジタル放送の特定チャンネル、或いは番組に関わらず、プラットフォーム事業者の条件指定によって特定アンドロイドアプリケーションが連動するよう指定、またはデジタル放送の特定チャンネル或いは番組に連動して実行されるようユーザが指定することを示す。
【００５３】
具体的に、連動条件情報は、連動型アンドロイドアプリケーションが予め指定された周期ごとに実行される条件、放送網或いは通信網を通して伝送される実行指示を受信することで実行される条件、および、ユーザによって基本実行と指定された条件のうち少なくとも一つを含む条件を満足する場合に実行されることを示す。
【００５４】
属性情報は、望ましくはプラットフォーム事業者、または放送事業者によって指定される。例えばアンドロイドプラットフォーム基盤の受信機１００を運営する主体であるプラットフォーム事業者は、デジタル放送のチャンネル、または番組に適したアンドロイドアプリケーションを直接開発、或いは放送事業者から提供され、これに上述した属性情報を付加してアンドロイドアプリケーションを製作する。
【００５５】
または、プラットフォーム事業者が、例えばアプリケーションマーケット形態で様々な開発者が開発したアンドロイドアプリケーションを流通する空間を提供する場合、アンドロイドアプリケーション製作者（またはコンテンツ提供者）などが自身のアンドロイドアプリケーションを登録して流通する際に、上述した属性情報を指定して登録することもできる。
【００５６】
即ち、プラットフォーム事業者、または放送事業者ではない独立開発者もプラットフォーム事業者が運営するアンドロイドアプリケーションマーケットに連動型アンドロイドアプリケーションを登録し、これをプラットフォーム事業者が流通した後、プラットフォーム事業者と独立開発者との間でアンドロイドアプリケーションの販売などに対する収益を分配することもできる。
【００５７】
一方、連動条件情報は、プラットフォーム事業者によって指定、またはアンドロイドプラットフォーム基盤の受信機１００のユーザによって指定される。特にアンドロイドプラットフォーム基盤の受信機１００のユーザによって指定される場合は、上述した属性情報は番組連動情報および連動条件情報の二つの属性情報、またはチャンネル連動情報および連動条件情報の二つの属性情報を同時に有することもできる。
【００５８】
アンドロイドプラットフォーム基盤の受信機１００は、多数のアンドロイドアプリケーションのうち、上述した識別情報に符合する属性情報を含むアンドロイドアプリケーションを、上述した連動型アンドロイドアプリケーションに指定し、これを実行する（図３のＳ２１０）。
【００５９】
具体的には、アンドロイドプラットフォーム基盤の受信機１００は、例えば多数のアンドロイドアプリケーションのうち、段階Ｓ１００で取得した現在の番組情報に符合する番組識別情報を含む属性情報を有するアンドロイドアプリケーションを連動型アンドロイドアプリケーションに指定し、これを実行する。
【００６０】
または、アンドロイドプラットフォーム基盤の受信機１００は、例えば多数のアンドロイドアプリケーションのうち、段階Ｓ１００で取得した現在のチャンネル情報に符合するチャンネル識別情報を含む属性情報を有するアンドロイドアプリケーションを連動型アンドロイドアプリケーションに指定し、これを実行する。
【００６１】
特にアンドロイドプラットフォーム基盤の受信機１００は、多数のアンドロイドアプリケーションのうち、段階Ｓ１００で取得した現在の番組情報に符合する番組識別情報を含む属性情報を有するアンドロイドアプリケーションが存在しない場合、段階Ｓ１００で取得した現在のチャンネル情報に符合するチャンネル識別情報を含む属性情報を有するアンドロイドアプリケーションを連動型アンドロイドアプリケーションに指定し、これを実行することもできる。
【００６２】
即ち、多数のアンドロイドアプリケーションのうち、上述した識別情報に符合する属性情報を含むアンドロイドアプリケーションが幾つかある場合は、現在の番組情報に符合する番組識別情報を含む属性情報を有するアンドロイドアプリケーションが、他のアンドロイドアプリケーションより優先的に連動型アンドロイドアプリケーションに指定されることができる。
【００６３】
または、多数のアンドロイドアプリケーションのうち、上述した識別情報に符合する属性情報を含むアンドロイドアプリケーションが一つ以上（望ましく二つ以上）ある場合は、まず多数のアンドロイドアプリケーションのうち、上述した識別情報に符合する属性情報を含む一つ以上のアンドロイドアプリケーションの情報を抽出して表示する（図４のＳ２２０）。例えばアイコン形態で、一つ以上のアンドロイドアプリケーションの情報を表示することができる。
【００６４】
その後、ユーザ入力を基に、上述した一つ以上のアンドロイドアプリケーションから選択されたアンドロイドアプリケーションを、上述した連動型アンドロイドアプリケーションに指定する（図４のＳ２３０）。
【００６５】
即ち、ユーザの選択を最も高い優先順位として、連動型アンドロイドアプリケーションを選択することができる。
【００６６】
または、アンドロイドプラットフォーム基盤の受信機１００は、上述した連動条件情報が満足された場合、多数のアンドロイドアプリケーションのうち、上述した連動条件情報に符合する属性情報を有するアンドロイドアプリケーションを、上述した連動型アンドロイドアプリケーションに指定し、これを実行することができる（図５のＳ２４０）。
【００６７】
具体的には、例えばアンドロイドアプリケーション＃１〜＃２０の２０個のアンドロイドアプリケーションのうち、現在のチャンネル、現在の番組に関わらず、「アンドロイドアプリケーション＃１」というアプリケーションを１０分ごとに実行するという連動条件情報を有する場合は、毎回１０分ごとにアンドロイドプラットフォーム基盤の受信機１００は、「アンドロイドアプリケーション＃１」を、上述した連動型アンドロイドアプリケーションに指定し、これを実行することができる。
【００６８】
または、例えばプラットフォーム事業者がアンドロイドアプリケーション＃１〜＃２０の２０個のアンドロイドアプリケーションのうち、「アンドロイドアプリケーション＃２」を実行するよう命じる実行指示をアンドロイドプラットフォーム基盤の受信機１００側に送信して、アンドロイドプラットフォーム基盤の受信機１００が上述した実行指示を受け取ったら、アンドロイドプラットフォーム基盤の受信機１００は「アンドロイドアプリケーション＃２」を、上述した連動型アンドロイドアプリケーションに指定し、これを実行することができる。
【００６９】
または、例えばアンドロイドアプリケーション＃１〜＃２０の２０個のアンドロイドアプリケーションのうち、ユーザが現在のチャンネル、または現在の番組に対して「アンドロイドアプリケーション＃１０」を基本実行するよう指定した場合、アンドロイドプラットフォーム基盤の受信機１００は「アンドロイドアプリケーション＃１０」を、上述した連動型アンドロイドアプリケーションに指定し、これを実行することができる。
【００７０】
多数のアンドロイドアプリケーションのうち、連動条件情報に符合する属性情報を有するアンドロイドアプリケーションを、上述した連動型アンドロイドアプリケーションに指定し、これを実行する場合、アンドロイドプラットフォーム基盤の受信機１００は上述した連動型アンドロイドアプリケーションを自動実行することができる。（図５のＳ２５０）。
【００７１】
即ち、多数のアンドロイドアプリケーションのうち、上述した識別情報に符合する属性情報を含む一つ以上のアンドロイドアプリケーションの情報を抽出して表示し、ユーザ入力を基に、上述した一つ以上のアンドロイドアプリケーションから選択されたアンドロイドアプリケーションを、上述した連動型アンドロイドアプリケーションに指定するといったプロセスなどを行う必要はない。アンドロイドプラットフォーム基盤の受信機１００は、自動で連動条件情報に符合する属性情報を有するアンドロイドアプリケーションを、上述した連動型アンドロイドアプリケーションに指定して実行することができる。
【００７２】
次に、アンドロイドプラットフォーム基盤の受信機１００は、段階Ｓ２００を通して連動型アンドロイドアプリケーションの実行中にイベントを受信した後、受信したイベントを基に段階Ｓ２００を通して実行中だった連動型アンドロイドアプリケーションの状態を変更する（Ｓ３００）。
【００７３】
図９は、本発明に係るアンドロイドプラットフォーム基盤の受信機で実行される連動型アプリケーションの提供方法において、段階Ｓ３００の具体例を示すフローチャートである。
【００７４】
イベントは、例えばデジタル放送のチャンネル変更コマンド、デジタル放送の番組変更（番組が終了する場合を含む）コマンド、および、多数のアンドロイドアプリケーションのうち、段階Ｓ２００を通して実行中だった連動型アンドロイドアプリケーションではない別のアンドロイドアプリケーションを実行するよう命じるコマンドのうち少なくとも一つである。
【００７５】
この場合、アンドロイドプラットフォーム基盤の受信機１００は、各イベントに応じて連動型アンドロイドアプリケーションの状態を変更する。例えばアンドロイドプラットフォーム基盤の受信機１００は、段階Ｓ２００を通して実行中だった連動型アンドロイドアプリケーションの実行状態を引き続き実行、中止（ｐａｕｓｅ）、中断（ｔｅｒｍｉｎａｔｅ）およびバックグラウンド（ｂａｃｋｇｒｏｕｎｄ）実行のうち少なくとも一つに変更することができる（図９のＳ３１０）。
【００７６】
例えば、アンドロイドプラットフォーム基盤の受信機１００が現在の番組情報に符合する番組識別情報を含む属性情報を有するアンドロイドアプリケーションを連動型アンドロイドアプリケーションで実行していた際に、当該番組が変更（終了する場合を含む）された場合、それ以上当該番組に連動した連動型アンドロイドアプリケーションを実行する必要はない。従って、アンドロイドプラットフォーム基盤の受信機１００は、当該番組に連動した連動型アンドロイドアプリケーションの実行状態を、例えば中断に変更することができる。
【００７７】
また、アンドロイドプラットフォーム基盤の受信機１００が現在のチャンネル情報に符合するチャンネル識別情報を含む属性情報を有するアンドロイドアプリケーションを連動型アンドロイドアプリケーションで実行していた際に、当該チャンネルから他のチャンネルに変更された場合、それ以上当該チャンネルに連動した連動型アンドロイドアプリケーションを実行する必要はない。従って、アンドロイドプラットフォーム基盤の受信機１００は、当該チャンネルに連動した連動型アンドロイドアプリケーションの実行状態を、例えば中断に変更することができる。または、再び当該チャンネルに変更される場合を考慮して、アンドロイドプラットフォーム基盤の受信機１００は当該チャンネルに連動した連動型アンドロイドアプリケーションの実行状態を、例えば中止、或いはバックグラウンド実行に変更することもできる。
【００７８】
また、アンドロイドプラットフォーム基盤の受信機１００が連動条件情報に符合する属性情報を有するアンドロイドアプリケーションを上述した連動型アンドロイドアプリケーションに指定し、これを実行する場合、アンドロイドプラットフォーム基盤の受信機１００は上述した連動型アンドロイドアプリケーションの状態を引き続き実行、中止、中断およびバックグラウンド実行のうち少なくとも一つに変更することができる。
【００７９】
即ち、連動条件に符合する場合の連動型アンドロイドアプリケーションは、チャンネル或いは番組の変更に関わらず実行される。従って、この場合、アンドロイドプラットフォーム基盤の受信機１００は、上述した連動型アンドロイドアプリケーションの状態を引き続き実行、またはバックグラウンド実行に、状態を変更することができる。
【００８０】
または、特定番組に連動してユーザによって基本実行に指定された条件である場合、アンドロイドプラットフォーム基盤の受信機１００は上述した連動型アンドロイドアプリケーションの状態を当該番組の変更（終了する場合を含む）時に中止、或いは中断に変更することができる。
【００８１】
再び図２を参照すれば、本発明に係るアンドロイドプラットフォーム基盤の受信機で実行される連動型アプリケーションの提供方法は、多数のアンドロイドアプリケーションのうち少なくとも一部をアンドロイドプラットフォーム基盤の受信機１００内に保存する段階（Ｓ４００）をさらに有することができる。
【００８２】
即ち、アンドロイドプラットフォーム基盤の受信機１００は、段階Ｓ２００を通してアンドロイドアプリケーション提供サーバ３００からリアルタイム、或いは準リアルタイムで、上述した連動型アンドロイドアプリケーションを受信することが望ましい（図６のＳ２６０）。
【００８３】
しかし、受信時間の短縮および遅延のないアプリケーションを提供するために、アンドロイドプラットフォーム基盤の受信機１００はアンドロイドアプリケーション提供サーバ３００から少なくとも一部のアンドロイドアプリケーションを予め受信して内部に保存することができる。
【００８４】
このような段階Ｓ４００は、特にアンドロイドアプリケーションが、上述したチャンネル連動情報の属性情報を含む場合に有効である。
【００８５】
即ち、チャンネル連動情報を含む属性情報を有するアンドロイドアプリケーションは、デジタル放送のチャンネル変更時の度に実行される連動型アンドロイドアプリケーションである。従って、アンドロイドプラットフォーム基盤の受信機１００は、このような連動型アンドロイドアプリケーションをチャンネル変更時の度に、引き続きアンドロイドアプリケーション提供サーバ３００から受信しなくても、予め受信してその内部に保存することができる。
【００８６】
また、段階Ｓ４００は、アンドロイドアプリケーションが上述した連動条件情報の属性情報を有する場合においても有効である。
【００８７】
例えばアンドロイドアプリケーションが予め指定された周期ごとに実行される条件、放送網或いは通信網を通して伝送される実行指示を受信することで実行される条件である連動条件を満足し、連動型アンドロイドアプリケーションが実行された場合、アンドロイドプラットフォーム基盤の受信機１００は、当該連動型アンドロイドアプリケーションを予め受信して、その内部に保存することができる。
【００８８】
例えばデジタル放送の特定チャンネルや特定番組に関わらず、プラットフォーム事業者が予めアンドロイドアプリケーションの実行条件を設定した後、例えば毎回１０分ごとに実行、或いはプラットフォーム事業者から実行指示を受信する場合に実行されれば、アンドロイドプラットフォーム基盤の受信機１００は、該当連動型アンドロイドアプリケーションを予め受信して、その内部に保存することができる。
【００８９】
また、例えばユーザによって基本実行と指定された条件を含む連動条件である場合も、当該アンドロイドアプリケーションを予め受信して、その内部に保存することもできる。
【００９０】
この場合、段階Ｓ２００で、アンドロイドプラットフォーム基盤の受信機１００は、保存されたアンドロイドアプリケーションのうち、上述した連動型アンドロイドアプリケーションを指定し、これを実行することができる（図７のＳ２７０）。
【００９１】
再び図２を参照すれば、本発明に係るアンドロイドプラットフォーム基盤の受信機で実行される連動型アプリケーションの提供方法は、デジタル放送のチャンネル別、或いは番組別に多数のアンドロイドアプリケーションとの対応関係を示すリストを維持する段階（Ｓ５００）をさらに有することができる。
【００９２】
この場合、段階Ｓ２００は下記のように具体化される。
【００９３】
アンドロイドプラットフォーム基盤の受信機１００は、段階Ｓ５００を通して維持しているリスト、及び段階Ｓ１００を通して取得した識別情報を用いて、多数のアンドロイドアプリケーションのうち、上述した連動型アンドロイドアプリケーションを選択するためのユーザインタフェースを表示して（図８のＳ２８０）、その後、多数のアンドロイドアプリケーションのうち、上述したユーザインタフェースを介したユーザ入力により選択されたアンドロイドアプリケーションを、上述した連動型アンドロイドアプリケーションに指定して（図８のＳ２９０）、これを実行することができる。
【００９４】
図１０は本発明に係るアンドロイドプラットフォーム基盤の受信機で実行される連動型アプリケーションの提供方法において、デジタル放送のチャンネルおよび番組別で多数のアンドロイドアプリケーションとの対応関係を表すリストの具体例を示す図面である。
【００９５】
図１０を参照すれば、デジタル放送の「ＳＢＳチャンネル」に対して番組別に対応するアンドロイドアプリケーションが図示される。
【００９６】
例えば「８時ニュース」番組に対して、「ＳＢＳニュースＡｐｐ」、「ＮａｔｅニュースＡｐｐ」および「ＹＴＮニュースＡｐｐ」の三種類のアンドロイドアプリケーションが当該番組と連動する番組連動情報を属性情報として含む。
【００９７】
例えば「ＳＢＳ人気歌謡」番組に対して、「ＳＢＳ音楽Ａｐｐ」、「Ｍｅｌｏｎ Ａｐｐ」および「Ｂｕｇｓ Ｍｕｓｉｃ Ａｐｐ」の三種類のアンドロイドアプリケーションが当該番組と連動する番組連動情報を属性情報として含む。
【００９８】
例えば「ドラマシティーハンター」番組に対して、「ＳＢＳドラマＡｐｐ」、「１１番街ドラマモールＡｐｐ」、「ＶＯＤ Ａｐｐ」および「シティーハンターファンクラブＡｐｐ」の四種類のアンドロイドアプリケーションが当該番組と連動する番組連動情報を属性情報として含む。
【００９９】
また、例えば「ＳＢＳチャンネル」に対して、「ＳＢＳポータルＡｐｐ」、「ＮａｔｅポータルＡｐｐ」および「ＮａｖｅｒポータルＡｐｐ」の三種類のアンドロイドアプリケーションが、「ＳＢＳチャンネル」と連動するチャンネル連動情報を属性情報として含む。
【０１００】
例えば図１０に図示されたリストを参照し、例えば図８の段階Ｓ２８０、Ｓ２９０を行うことができる。
【０１０１】
図１１は、本発明に係るアンドロイドプラットフォーム基盤の受信機で実行される連動型アプリケーションの提供方法において、多数のアンドロイドアプリケーションのうち、連動型アンドロイドアプリケーションを選択するためのユーザインタフェースの例を示す図面である。
【０１０２】
図１１のユーザインタフェース（５００）を参照すれば、特に図１０に図示された「ドラマシティーハンター」番組に対して、ユーザが選択可能なアンドロイドアプリケーションが、題名、或いはアイコン形態で表示される。
【０１０３】
即ち、アンドロイドアプリケーション「ＳＢＳドラマＡｐｐ」（５１０）、「１１番街ドラマモールＡｐｐ」、「シティーハンターファンクラブＡｐｐ」および「ＶＯＤ Ａｐｐ」の四種類のアンドロイドアプリケーションを選択できる選択インターフェース（５１０〜５４０）が図１１に図示される。
【０１０４】
例えばユーザがインターフェース（５３０）を介して「シティーハンターファンクラブＡｐｐ」を選択すれば、その後、選択された「シティーハンターファンクラブＡｐｐ」が実行され、「ドラマシティーハンター」番組と連動して提供される。
【０１０５】
一方、図１１に図示されたユーザインタフェースは、図４の段階Ｓ２２０、Ｓ２３０を行う場合にも同様に使用される。
【０１０６】
一方、再び図１０を参照すれば、「８時ニュース」番組については「ＳＢＳニュースＡｐｐ」が太字および下線を用いて表示され、「ＳＢＳ人気歌謡」番組については「Ｍｅｌｏｎ Ａｐｐ」が太字および下線を用いて表示される。
【０１０７】
当該太字および下線表示がユーザによって基本実行と指定された条件を表すと仮定する。即ち、「８時ニュース」番組については「ＳＢＳニュースＡｐｐ」を基本として実行し、「ＳＢＳ人気歌謡」番組については「Ｍｅｌｏｎ Ａｐｐ」を基本として実行するよう指定されたこと、即ち、「８時ニュース」番組については「ＳＢＳニュースＡｐｐ」が連動条件情報に符合し、「ＳＢＳ人気歌謡」番組については「Ｍｅｌｏｎ Ａｐｐ」が連動条件情報に符合する場合であると仮定する。
【０１０８】
この場合、アンドロイドプラットフォーム基盤の受信機１００は、図１１のユーザインタフェースなどを表示することなく、「８時ニュース」番組を提供する場合は「ＳＢＳニュースＡｐｐ」を連動して自動的に実行し、「ＳＢＳ人気歌謡」番組を提供する場合は「Ｍｅｌｏｎ Ａｐｐ」を連動して自動的に実行することができる。
【０１０９】
このような本発明によれば、属性、或いは予め指定された連動条件を基にユーザに個人化され、そのライフサイクルがデジタル放送と連動して管理される連動型アンドロイドアプリケーションを提供することができる。
【０１１０】
即ち、例えばユーザが指定したアンドロイドアプリケーションが連動型アプリケーションとして提供される。
【０１１１】
また、連動型アンドロイドアプリケーションは、イベントの発生によりその実行状態を引き続き実行、中止、中断およびバックグラウンド実行のうち少なくとも一つに変更できるため、アンドロイドプラットフォーム基盤の受信機１００は、これ以上連動を必要としない場合は連動型アンドロイドアプリケーションの実行を中断することで、システム資源を効率的に使用することもできる。
【０１１２】
また、従来の場合、アプリケーション開発者、または放送事業者が別々にデジタル放送用アプリケーションを開発して提供する負担があったが、既存のアンドロイドアプリケーションに属性情報を付加することで簡単に負担を最小限に抑えつつ、デジタル放送に連動したアンドロイドアプリケーションを視聴者に提供することができる。
【０１１３】
また、予め指定された連動条件を満足する場合、視聴者には自ら指定した連動型アンドロイドアプリケーションが提供されるため、個人化された連動型アンドロイドアプリケーションの提供が可能である。
【０１１４】
また、予め指定された連動条件を満足する場合、プラットフォーム事業者が指定する連動型アンドロイドアプリケーションが視聴者に提供されるため、プラットフォーム事業者は情報提供または広告効果を高めることができる。即ち、プラットフォーム事業者は、例えば情報伝達または広告のために連動型アンドロイドアプリケーションを必要に応じて視聴者に提供することができる。
【０１１５】
以上、本発明の構成を具体的に説明したが、これは単に本発明を例示的に説明したに過ぎず、本発明が属する技術分野において通常の知識を有する者であれば本発明の本質的な特性を超えない範囲内で種々変形が可能である。
【０１１６】
従って、本明細書に開示された実施例は、本発明を限定するものではなく説明するものであって、このような実施例により本発明の思想と範囲が限定される訳ではない。本発明の範囲は下記の請求の範囲により解釈されるべきであり、それ同等の範囲内にある全ての技術は本発明の権利範囲に含まれると解釈されるべきである。
【産業上の利用可能性】
【０１１７】
本発明によれば、属性、或いは予め指定された連動条件を基にユーザに個人化され、そのライフサイクルがデジタル放送と連動して管理される連動型アンドロイドアプリケーションを提供することができる。
【０１１８】
また、アプリケーション開発者、または放送事業者が別々にデジタル放送用アプリケーションを開発して提供する負担を最小限に抑えつつ、デジタル放送に連動したアンドロイドアプリケーションを視聴者に提供することができる。
【０１１９】
また、予め指定された連動条件を満足する場合、視聴者には自ら指定した連動型アンドロイドアプリケーションが提供されるため、個人化された連動型アンドロイドアプリケーションを提供することができる。
【０１２０】
また、予め指定された連動条件を満足する場合、プラットフォーム事業者が指定する連動型アンドロイドアプリケーションが視聴者に提供されるため、プラットフォーム事業者は情報提供または広告効果を高めることができる。
【図１】
2015525025.tif 000003
【図２】
2015525025.tif 000004
【図３】
2015525025.tif 000005
【図４】
2015525025.tif 000006
【図５】
2015525025.tif 000007
【図６】
2015525025.tif 000008
【図７】
2015525025.tif 000009
【図８】
2015525025.tif 000010
【図９】
2015525025.tif 000011
【図１０】
2015525025.tif 000012
【図１１】
2015525025.tif 000013
【国際調査報告】
2015525025.tif 000014
2015525025.tif 000015
2015525025.tif 000016
2015525025.tif 000017